(57)【要約】【課題】ラジオ環境に適合する低ＩＦ受信機回路構成を有するモバイル無線通信デバイスを提供すること。【解決手段】モバイル無線通信デバイスであって、ハウジングと、該ハウジングによって運ばれ、互いに動作するラジオ周波数（ＲＦ）回路構成とプロセッサとを含む回路基板であって、該ＲＦ回路構成は、局所振動子周波数設定と関連する所望の信号として、同じ周波数側に干渉信号を維持するように動作する、低ＩＦ受信機回路を備え、干渉イメージ信号を生成し、実質的にベースバンド周波数でイメージ信号をフィルターする、回路基板とを備える、モバイル無線通信デバイス。【選択図】図３
2011078123.tif 000002
【特許請求の範囲】
【請求項１】
本願明細書に記載のモバイル無線通信デバイス。
【発明の詳細な説明】
【技術分野】
【０００１】
（発明の分野）
本発明は、通信デバイスの分野に関連し、さらに特別には、モバイル無線通信デバイスならびに、ラジオ環境に適合する低ＩＦ受信機回路構成を使用する、関連するシステムおよび方法に関連する。
【背景技術】
【０００２】
（発明の背景）
携帯電話の通信システムは流行で成長し続け、個人のおよびビジネスの通信の両方の不可欠な部分になって来た。携帯電話および同様のデバイスは、ユーザーに、電話の呼び出しを、彼らが移動するどこであっても、配置し受信することを可能にする。その上、携帯電話技術が向上するにつれて、携帯電話のデバイスの機能もまた向上している。例えば、多くの携帯電話のデバイスは、今や、カレンダー、住所録、タスクリスト、計算機、メモ、および、筆記プログラムなどのパーソナルデジタル補助（ＰＤＡ）の特徴を組み込んでいる。これらの多機能デバイスは、例えば、常にユーザーに、電子メール（ｅメール）メッセージを無線で送信および受信し、携帯電話のネットワークおよび／または無線ローカルエリアネットワーク（ＷＬＡＮ）を介してインターネットにアクセスすることを可能にする。
【０００３】
携帯電話通信の多くは、パケットバースト伝達（ｐａｃｋｅｔ  ｂｕｒｓｔ  ｔｒａｎｓｍｉｓｓｉｏｎ）を、モバイル通信のためのグローバルシステム（ＧＳＭ）システムの一部として使用し、それは、４５０ＭＨｚ、９００ＭＨｚ、１８００ＭＨｚ、および１９００ＭＨｚ周波数帯を含む。無線トランシーバーの現在の世代は、典型的には、受信機構成の二つの主要なタイプを使用し、すなわち、直接変換受信機構成またはデジタル低ＩＦ受信機構成（ｖｅｒｙ  ｌｏｗ−ＩＦ、すなわち、ＶＬＩＦとも名付けられ）、したがって、先行する世代のアナログダウンコンバージョンステージの多くを除去している。従来のスーパーヘテロダイン受信機に使われる高価でかさばった中間周波数（ＩＦ）構成要素の多くは直接転換および低ＩＦ受信機構成で除去されて来た。直接転換受信機では、信号はベースバンドに直接に転換されるが、一方、デジタル低ＩＦ受信機では、スーパーヘテロダインの一部の有利な点が、直接転換受信機の経済的および統合された有利な点と共に、残っている。
【０００４】
一方、低ＩＦ受信機では、ＲＦ信号が、ゼロでない低い、または、適度な中間周波数、典型的には一部の例では数メガヘルツに、混ぜ合わされる。したがって、低ＩＦ受信機構成は、ゼロＩＦ受信機構成の望ましい性質の多くを含み、さらに、ＤＣオフセットおよび一部の１／Ｆ雑音問題を回避する。非ゼロＩＦ受信機構成は、いくつかの信号イメージ問題を導入する。低ＩＦ受信機では、ＲＦ信号は、バンド選択され、ベースバンドに近い周波数へダウンコンバートされ、ときには１００ＫＨｚ近くになる。この低ＩＦ信号は、アナログ−デジタル変換器（ＡＤＣ）によるデジタル領域への変換の前に、低パスフィルターと増幅器とにより、フィルターされ得る。ベースバンドに対する任意の最終信号ダウンコンバージョンおよび精密なゲイン制御は、プロセッサでデジタルに実行され得る。
【０００５】
いくらかの高分解能、オーバーサンプリング、および、アナログフィルターよりもむしろデジタル信号処理（ＤＳＰ）技術の使用を含む、チャンネルフィルターリングを可能にするデルタ−シグマ変換器を組み込むこともまた、可能である。信号は、デジタルプロセッサまたはデジタル−アナログ変換器にインターフェイスし得、アナログのインフェイズ（Ｉ）およびクアドラチャー（Ｑ）信号をプロセッサに出力し得る。
【０００６】
重要なＧＳＭ受信機パラメータは、低ＩＦ受信機の実行を高めるための干渉信号の拒絶である。ヨーロッパ電話通信標準研究所（ＥＳＴＩ）モバイルステーション適合は、市場で現在手に入るＧＳＭ受信機を使って容易に合格しない、非常に厳しい証明試験（１４．５，１４．１８．３）を明記している。たとえ受信機が証明試験に合格した場合でも、干渉信号拒絶からもたらされる、より良い性能を有することは、強いラジオ干渉が共通の問題である、大きな都会の領域で、エンドユーザーの経験を著しく改善し得る。
【０００７】
干渉信号の拒絶は、常に、拒絶性能がＩ／Ｑゲインと位相不均衡によって制限される、非常に低ＩＦ受信機構成にとって、問題である。この問題を扱う共通の方法は、以前に計算された較正表に基づくデジタルベースバンド処理の間、Ｉ／Ｑゲインと位相とが調節される、Ｉ／Ｑ不均衡較正を使用することである。不幸にも、較正サイクルの間、時間測定が制限されているとき、これらのタイプの較正プロセスは十分な正確さを提供しない。しかしながら、較正時間が拡大される場合、単一の通信デバイスのための製造コストは著しく増加し得る。
【０００８】
このような問題を解決するためのいくつかの提案は、局所振動子（ＬＯ）を、ある受信（ＲＸ）セッションと、別のセッションで高い側のＬＯ注入を受信する間、低い側のＬＯ注入を使用する、「ラウンドロビン（ｒｏｕｎｄ−ｒｏｂｉｎ）」スキームで、トグルする。この解は、ラジオ環境からどのフィードバックも使用せず、したがって、干渉イメージの基礎的な「平均化」を達成させるだけである。典型的には、外部環境の知識は何もない。また、受信セッションに使用される信号のタイプを考慮に入れないことによって、例えば、ゆがめられた信号が壊れるときの、最悪の場合のシナリオにおける結果は、受信された信号強度表示（ＲＳＳＩ）測定と混合され、結果として得られるデータストリームは、最悪の干渉出現を拾う。特許文献１は、受信機と、受信方法と、携帯型無線装置とを開示する。
【先行技術文献】
【特許文献】
【０００９】
【特許文献１】米国特許出願公開第２００６／００６８７３９号明細書
【発明の概要】
【課題を解決するための手段】
【００１０】
（発明の概要）
制限のない例にしたがって、モバイル無線通信デバイスは、ハウジングと、ハウジングによって運ばれる回路基板とを含む。回路基板は、ラジオ周波数（ＲＦ）回路と互いに動作するプロセッサとを含む。ＲＦ回路構成は、局所振動子周波数設定と関係する所望の信号と、同じ周波数の干渉信号を維持するように動作する、低ＩＦ受信機回路を含み、干渉イメージ信号を生成し、実質上ベースバンド周波数にイメージ信号をフィルターする。
【００１１】
ラジオ周波数（ＲＦ）回路は、干渉イメージ信号をフィルターするように動作するデジタル信号処理（ＤＳＰ）回路を含み得る。ＲＦ回路構成は、最も高いバンド外の信号衰弱が実装される、実質的にベースバンド周波数に、干渉信号を配置するために活動し得る。
【００１２】
別の局面では、ＲＦ回路構成は、少なくとも一つの混合回路と局所振動子回路とを含み得る。アナログ−デジタル変換器、デジタルミキサー、および、プロセッサを備える復調器回路は、信号を復調するように動作する。ＲＦ回路構成は、復調の間に得られた信号−雑音値に基づいて、より良く実行する局所振動子周波数設定とより貧しく実行する局所振動子周波数設定との間で、決定するように動作する。ＲＦ回路構成はまた、信号−雑音値に基づいてＲＦチャンネルに対して、異なる低ＩＦ局所振動子周波数設定を使用するように動作し得る。
【００１３】
通信信号は、モバイル通信のためのグローバルシステムにしたがって、データバースト（ｂｕｒｓｔ）として形成され得る。ＲＦ回路構成は、局所振動子周波数設定が変化されたラジオ環境に適合するように変化させられるかどうかを決定するために、予め決定された個数の受信されたデータバーストの後で、より良く実行する局所振動子周波数設定からより貧しく実行する局所振動子周波数設定へ返すように動作し得る。
【００１４】
方法の局面およびラジオ受信機もまた、明らかにされる。
【００１５】
他の対象、特徴、および、有利な点が、添付される図面に照らして考慮したとき、後に続く詳細な記述から明らかになる。
【００１６】
本発明は、さらに以下の手段を提供する。
【００１７】
（項目１）
モバイル無線通信デバイスであって、
ハウジングと、
該ハウジングによって運ばれ、互いに動作するラジオ周波数（ＲＦ）回路構成とプロセッサとを含む回路基板であって、該ＲＦ回路構成は、局所振動子周波数設定と関連する所望の信号として、同じ周波数側に干渉信号を維持するように動作する、低ＩＦ受信機回路を備え、干渉イメージ信号を生成し、実質的にベースバンド周波数でイメージ信号をフィルターする、回路基板と
を備える、モバイル無線通信デバイス。
【００１８】
（項目２）
上記ＲＦ回路構成は、前記干渉イメージ信号をフィルターするように動作するデジタル信号処理（ＤＳＰ）回路を備える、項目１に記載のモバイル無線通信デバイス。
【００１９】
（項目３）
上記ＲＦ回路構成が、最も高いバンドの外の信号の減衰を実装する、実質的なベースバンド周波数に、干渉信号を配置するように動作する、項目１に記載のモバイル無線通信デバイス。
【００２０】
（項目４）
上記ＲＦ回路構成が、さらに、ミキサー回路と、該ミキサー回路と共に動作する局所振動子回路と、該ミキサー回路および該振動子回路からの信号を復調するための復調器回路とを備え、該ＲＦ回路構成が、復調の間に得られた信号−雑音値に基づいてより良い実行局所振動子周波数設定とより貧しい実行局所振動子周波数設定とを決定するように動作する、項目１に記載のモバイル無線通信デバイス。
【００２１】
（項目５）
上記ＲＦ回路構成が、信号−雑音値に基づいてＲＦチャンネルに対して異なる低ＩＦ局所振動子周波数設定を使用するように動作する、項目４に記載のモバイル無線通信デバイス。
【００２２】
（項目６）
上記通信信号が、モバイル通信のためのグローバルシステムに従い、データバーストを備える、項目４に記載のモバイル無線通信デバイス。
【００２３】
（項目７）
上記ＲＦ回路構成が、上記局所振動子周波数設定が変化されたラジオ環境に適合するように変化させられるかどうかを決定する、予め決定された数の受信されたデータバーストの後で、より良い実行局所振動子周波数設定から、より貧しい実行局所振動子周波数設定へ戻すように動作する、項目４に記載のモバイル無線通信デバイス。
【００２４】
（項目８）
低ＩＦ受信機性能を高め、干渉信号を拒絶するための方法であって、
局所振動子周波数設定に関連して所望の信号として、同じ周波数側に干渉信号を維持することと、
干渉イメージ信号を生成することと、
実質的にベースバンド周波数にイメージ信号をフィルターすることと
を包含する、方法。
【００２５】
（項目９）
デジタル信号処理（ＤＳＰ）回路内で干渉イメージ信号をフィルターすることをさらに包含する、項目８に記載の方法。
【００２６】
（項目１０）
最も高いバンド外の信号の減衰が実装されている、実質的なベースバンド周波数に干渉信号を配置することをさらに包含する、項目８に記載の方法。
【００２７】
（項目１１）
受信された通信信号からの信号をダウンコンバートすることと、
該ダウンコンバートされた信号を復調することと、
復調の間に得られた信号−雑音値に基づいて、より良い実行局所振動子周波数設定とより貧しい実行局所振動子周波数設定との間で決定すること
をさらに包含する、項目８に記載の方法。
【００２８】
（項目１２）
上記信号−雑音値に基づいてＲＦチャンネルに対して、異なる低ＩＦ局所振動子周波数設定を使用することをさらに包含する、項目１１に記載の方法。
【００２９】
（項目１３）
上記通信信号が、モバイル通信のためのグローバルシステムにしたがって、データバーストを備える、項目１１に記載の方法。
【００３０】
（項目１４）
上記局所振動子周波数設定が変化されたラジオ環境に適合するように変化させられるかどうかを決定する、予め決定された数の受信されたデータバーストの後で、より良い実行局所振動子周波数設定から、より貧しい実行局所振動子周波数設定へ戻すことを、さらに包含する、項目１１に記載の方法。
【００３１】
（項目１５）
ミキサーと局所振動子回路の中で信号をダウンコンバートすることをさらに包含する、項目１１に記載の方法。
【００３２】
（項目１６）
所望の信号バンドから干渉イメージ信号を生成することをさらに包含する、項目８に記載の方法。
【００３３】
（項目１７）
低ＩＦ受信機であって、
ベースバンド近くの低中間周波数（ＩＦ）信号へ、ＲＦ通信信号をダウンコンバートするための局所振動子およびミキサー回路と、
低ＩＦ信号を受信し、該低ＩＦ信号をデジタル信号へ変換する、アナログ−デジタル変換回路と、
デジタル信号を受信しそれらをベースバンドで処理するものに接続された、デジタルミキサー回路およびプロセッサであって、該局所振動子およびミキサー回路は、局所振動子周波数設定に関連する所望の信号として、同じ周波数側に干渉信号を維持するために、該デジタルミキサー回路およびプロセッサと共に動作する、デジタルミキサー回路およびプロセッサと
を備える、低ＩＦ受信機。
【００３４】
（項目１８）
前記デジタルミキサー回路と共に動作する直接デジタルシンセサイザーをさらに備える、項目１７に記載の低ＩＦ受信機。
【００３５】
（項目１９）
アンテナと、そこに接続された低雑音増幅器（ＬＮＡ）と、上記局所振動子およびミキサー回路内で混合するために、ＲＦ通信信号を受信し該ＲＦ通信信号を分割する、該局所振動子およびミキサー回路へ接続された分割回路とをさらに備える、項目１７に記載の低ＩＦ受信機。
【００３６】
（項目２０）
前記プロセッサが、インフェイズ（Ｉ）およびクアドラチャー（Ｑ）出力信号を生成するように動作する、項目１７に記載の低ＩＦ受信機。
【００３７】
（摘要）
モバイル無線通信デバイス、システムおよび関連する方法は、ハウジング、および、互いに動作するラジオ周波数（ＲＦ）回路構成とプロセッサとを含む回路基板を含む。ＲＦ回路構成は、局所振動子周波数設定に関連する所望の信号として同じ周波数側に干渉信号を維持するように動作する低ＩＦ受信機回路を含み、実質的にベースバンド周波数としてイメージ信号をフィルターする。
【図面の簡単な説明】
【００３８】
【図１】図１は、制限のない例と例示的な基礎的な内部の構成要素にしたがって使用され得るハンドヘルドデバイスとして構成された、モバイル無線通信デバイスの例の概要ブロック図である。
【図２】図２は、図１のモバイル無線通信デバイスの正面図である。
【図３】図３は、図１〜２のモバイル無線通信デバイスで使われ得る基礎的な機能回路構成要素を示す概要ブロック図である。
【図４】図４は、制限のない例にしたがって環境に適合するシステムと方法とを使用し得る、低ＩＦ受信機の高レベルの概要回路とブロック図である。
【図５】図５は、干渉信号、所望の信号、および、望ましい中心周波数から負の周波数オフセットを有する局所振動子（信号）を示すグラフである。
【図６】図６は、図５に示されるのと同様のグラフだが、しかし、ラジオ周波数（ＲＦ）ダウンコンバージョンの後で、振幅と位相に対するＩ／Ｑ不均衡から現れ結果としてなる干渉イメージ信号を示している。
【図７】図７は、図５と同様のグラフであり、干渉信号と所望の信号と正の側の局所振動子信号とを示し、正の周波数オフセットを有する。
【図８】図８は、図７と同様のグラフであり、干渉信号と所望の信号と所望の信号のイメージと干渉イメージを示している。
【発明を実施するための形態】
【００３９】
（好ましい実施形態の詳細な記述）
異なる実施形態が、好ましい実施形態が示される添付される図面を参照して、以下により完全に記述される。多くの異なる形が明らかにされ得、記述される実施形態は、ここに明らかにされる実施形態への制限として解釈されるべきではない。むしろ、この開示は始めから終わりまで一貫して完全であるように、これらの実施形態が提供されていて、当業者に範囲を完全に伝える。似た番号は、全体を通じて、似た要素を表す。
【００４０】
一つの制限のない例にしたがって、例えば、拡大された較正時間によって引き起こされる制限は、現在のラジオ環境「質」に基づく「動作時間」に、ラジオ周波数（ＲＦ）回路構成を調節することによって克服され得る。したがって、処理される問題点は、強い狭いバンド（調節されていない）干渉拒絶であり、それは、最も高いバンド外の信号衰弱が実装された、ベースバンド周波数に干渉を配置することによって処理される。非常に低いＩＦ受信機の大部分は非対称的な周波数応答を有するので、これは、ベースバンドアナログ／デジタル変換器で信号波形を切り取ることを妨げることを助ける。
【００４１】
システムと方法は、ラジオチャンネルフィードバック統計に基づき得、例えば、規則正しい受信機の動作の間に集められたＧＳＭバーストの復調からの信号−雑音（ＳＮＲ）比の統計である。ＳＮＲ統計は、全ての使用されたＧＳＭチャンネルに対して集められ得る。異なる低ＩＦ局所振動子（ＬＯ）周波数または周波数設定は、同じチャンネルに使用され得る。低いまたは高い周波数のどちらかに強い干渉が現れるとすぐに、ＧＳＭバースト復調からのＳＮＲは、どのＬＯ周波数設定が、他のＬＯ設定に比べて、最悪のまたは最も貧しい実行性能を有するかを識別する。提案されたアルゴリズムは、全ての使用されたラジオチャンネルのマップを生成し、「最高の推測」、すなわち、より良い実行ＬＯ構成を使用する信号を受信するために、局所振動子周波数設定「オンザフライ」を調節しようとする。システムと方法は、任意のラジオ環境「改善」をチェックするために予め定義された量の受信セッションの後で、最悪のまたは最も貧しい実行の場合のＬＯ周波数構成へ、戻り得るアルゴリズムを使用し得る。結果として、システムと方法は、同じ周波数の側で、ＬＯ周波数設定と関連して所望の信号として、干渉を維持し得、したがって、所望の信号バンドから干渉「イメージ」を生成し、ベースバンドデジタル信号処理（ＤＳＰ）回路でフィルターする。
【００４２】
短い記述が図１〜３に関連して続き、図１〜３は、例えば、ハンドヘルド携帯セルラーラジオのような、モバイル無線通信デバイスの例を開示し、そのハンドヘルド携帯セルラーラジオは、以下に記述されるように環境に適合する低ＩＦ受信機回路構成と共に使用され得る、様々な回路の制限のない例を組み込み得る。図１〜３は、多くの異なるタイプの機能性回路構成要素とそれらの相互接続の代表的な制限のない例であり、低ＩＦ受信機回路構成との使用に対して動作する。
【００４３】
図１と図２とを最初に参照すると、ハンドヘルド携帯セルラーラジオのような、モバイル無線通信デバイス２０の例が、最初に記述される。このデバイス２０は、上の部分４６と下の部分４７とを有するハウジング２１、および、例えば、従来の印刷回路基板（ＰＣＢ）土台のような、ハウジングによって運ばれる、誘電体基板（すなわち、回路基板）６７を、例示的に含む。ハウジングカバー（詳細に図示されない）は、典型的にはハウジングの前の部分を覆う。これより後で使われる回路基板６７という用語は、任意の誘電体基板、ＰＣＢ、セラミック基板、または、モバイル無線通信デバイス２０内の信号回路と電子構成要素とを運ぶための他の回路運搬構造を、指し得る。例えば、図示されたハウジング２１は静的なハウジングであり、多くのセルラー電話で使用されているフリップまたはスライド式ハウジングとは相対している。しかしながら、これらの、および、他のハウジング構成もまた、使用され得る。
【００４４】
マイクロプロセッサ、メモリ、ＲＦ回路構成を含む一つ以上の無線トランシーバー（例えば、セルラー、ＷＬＡＮ、など）のような、回路構成４８は、回路基板６７によって運ばれ、オーディオおよび電源回路構成を含み、任意のキーボード回路構成を含む。当業者によって認識されるように、キーボード回路構成は分離されたキーボードなどであり得ることが理解されるべきである。バッテリー（図示されていない）もまた、回路構成４８に電力を供給するために、ハウジング２１によって好ましく運ばれる。ＲＦ回路構成という用語は、共同利用できるＲＦトランシーバー回路構成、電源回路構成、および、オーディオ回路構成を包含する。
【００４５】
さらには、オーディオ出力トランスデューサ４９（例えば、スピーカー）は、ハウジング２１の上の部分４６によって運ばれ、回路構成４８に接続される。キーパッド（キーボード）２３（図２）のような、一つ以上のユーザー入力インターフェイスデバイスもまた、好ましくはハウジング２１によって運ばれ、回路構成４８に接続される。ここで使用される用語キーパッドはまた、用語キーボードを指し、文字のおよび／または数字のキーを有する公知のユーザー入力デバイス、および、マルチトップまたは予測的な入力モードを含む他の実施形態を指す。ユーザー入力インターフェイスデバイスの他の例は、スクロールホイール３７とバックボタン３６を含む。もちろん、他のユーザー入力インターフェイスデバイス（例えば、スタイラス（ｓｔｙｌｕｓ）またはタッチスクリーンインターフェイス）が、他の実施形態で使用され得ることが、認識される。
【００４６】
アンテナ４５は、ハウジングの下の部分４７に好ましくは配置され、アンテナ回路を形成する伝導トレースのパターンとして形成され、そのアンテナ回路は物理的にアンテナを形成する。それは、主回路基板６７の回路構成４８に接続される。一つの制限のない例では、アンテナは、ハウジングの下の部分の主回路基板から延伸する、アンテナ回路基板部分上に、形成され得る。アンテナ４５をハウジング２１の下の部分４７に隣接して配置することによって、適用できるＳＡＲ要請に従うように援助するように電話を使用するとき、距離が、アンテナとユーザーの頭との間で有利にも増加する。また、分離されたキーボード回路基板が使用され得る。
【００４７】
さらに特別には、ユーザーは典型的にはハウジング２１の上の部分を、彼の頭に非常に近くに持つので、オーディオ出力トランスデューサ４９は彼の耳の隣に直接ある。しかし、オーディオ入力トランスデューサ（すなわち、マイクロフォン）が配置されている、ハウジング２１の下の部分４７は、ユーザーの口の隣に直接置かれる必要はなく、ユーザーの口から遠く離れて持たれ得る。すなわち、オーディオ入力トランスデューサをユーザーの口のそばに持つということは、ユーザーにとって不快であるだけでなく、一部の環境でユーザーの声をまた歪ませ得る。さらには、ハウジング２１の下の部分４７に隣接したアンテナ４５の配置は、また、有利にも、アンテナをユーザーの頭脳から遠く離れさせる。
【００４８】
アンテナ４５をハウジング２１の下の部分４７に隣接して配置することの、別の重要な利点は、このことが、ユーザーの手によって妨害することに起因する、アンテナ性能に対する影響を少なくし得ることである。すなわち、ユーザーは典型的には、セルラー電話を、電話のハウジングの中央から上の部分にかけて持ち、したがって、そのようなアンテナの上に手を置くことの方が、ハウジング２１の下の部分４７に隣接してアンテナを配置することよりも、ありそうである。したがって、アンテナ４５をハウジング２１の下の部分４７に隣接して配置することから、より信頼性の高い性能が達成され得る。
【００４９】
この構成のさらに別の利点は、それが、ハウジングの上の部分４６に運ばれる一つ以上の補助入力／出力（Ｉ／Ｏ）デバイス５０に対して、さらに空き場所を提供することである。さらには、アンテナ４５を補助Ｉ／Ｏデバイス５０から分離することによって、このことは減少された干渉を可能にし得る。
【００５０】
補助Ｉ／Ｏデバイス５０の一部の例は、ＷＬＡＮ通信能力を提供するためのＷＬＡＮ（例えば、Ｂｌｕｅｔｏｏｔｈ，ＩＥＥＥ８０２．１１）アンテナ、および／または、位置能力を提供するための衛星位置システム（例えば、ＧＰＳ，Ｇａｌｉｌｅｏなど）アンテナを、当業者によって認識されるように、含む。補助Ｉ／Ｏデバイス５０の他の例は、第二のオーディオ出力トランスデューサ（例えば、スピーカー電話動作のためのスピーカー）、および、デジタルカメラ能力を提供するためのカメラレンズ、および、電子デバイスコネクタ（例えば、ＵＳＢ、ヘッドフォン、セキュアデジタル（ＳＤ）またはメモリカードなど）を含む。
【００５１】
補助Ｉ／Ｏデバイス５０に対してここで使用される用語「入力／出力」は、そのようなデバイスは入力および／または出力能力を有し得ることを意味し、それらは全ての実施形態で両方を提供する必要はない。すなわち、例えば、カメラレンズのようなデバイスは光学的入力を受信し得るだけで、一方、ヘッドフォンジャックはオーディオ出力を提供し得るだけである。
【００５２】
デバイス２０はさらにディスプレイ２２を例示的に含んでおり、例えば、ハウジング２１によって運ばれ回路構成４８に接続された液晶ディスプレイ（ＬＣＤ）である。当業者によって認識されるように、バックボタン３６とスクロールホイール３７もまた、ユーザーにメニュー、テキスト、などをナビゲートするのを可能にするために、回路構成４８に接続され得る。スクロールホイール３７はまた、いくつかの場合、「サムホイール（ｔｈｕｍｂ  ｗｈｅｅｌ）」または「トラックホイール（ｔｒａｃｋ  ｗｈｅｅｌ）」と呼ばれ得る。キーパッド２３は、それぞれが、それぞれのシンボルの複数のしるしを有する、複数の多シンボルキー２４を例示的に含む。キーパッド２３はまた、代わりの機能キー２５、ネクストキー２６、スペースキー２７、シフトキー２８、リターン（またはエンター）キー２９、および、バックスペース／消去キー３０を例示的に含む。
【００５３】
ネクストキー２６はまた、代わりの機能キー２５を第一に押すこと、または、作動させることで、「＊」シンボルを入力するのに使用される。同様にして、スペースキー２７、シフトキー２８、および、バックスペースキー３０は、代わりの機能キー２５を第一に作動させることで、それぞれ、「０」と「＃」とを入力するのに使用される。当業者によって認識されるように、キーパッド２３は、さらに、送信キー３１、エンドキー３２、および、便利（すなわち、メニュー）キー３９を、セルラー電話呼び出しに置いて使用するために、例示的に含む。
【００５４】
その上、各キー２４上のシンボルは頂上と底の行に配列されている。底の行のシンボルは、ユーザーが一番目に代わりの機能キー２５を押すことなしにキー２４を押したとき、入力され、一方、頂上の行のシンボルは、一番目に代わりの機能キーを押すことによって入力される。図２に見られるように、多シンボルキー２４は、送信およびエンドキー３１および３２の下に、キーパッド２３の最初の三行に配列される。さらには、キー２４のそれぞれの文字シンボルは、ＱＷＥＲＴＹレイアウトを定義するように配列されている。すなわち、キーパッド２３の文字は三行の形式で表され、各行の文字は標準のＱＷＥＲＴＹキーパッドと同じ順で相対的な位置にある。
【００５５】
キーの各行（機能キー２５〜２９の四番目の行を含む）は五つの列に配列されている。第一、第二、および、第三の行の第二、第三、および、第四列の多シンボルキー２４は、数字のしるしを有し（すなわち、１から９）、第一に代わりの機能キー２５を動作させることによってアクセスできる。当業者によって認識されるように、第一に代わりの機能キー２５を動作させることによってそれぞれ「＊」、「０」、「＃」を入力する、ネクスト、スペース、および、シフトキー２６，２７，２８を結合させることで、上述のとおり、このキーのセットは、伝統的なタッチトーン電話に見られるように、標準の電話キーパッドレイアウトを定義する。
【００５６】
したがって、記述されるようにモバイル無線通信デバイス２０は、伝統的なセルラー電話として有利に使用されるだけでなく、例えば、インターネットおよび電子メールデータとして、セルラーまたは他のネットワーク上でデータを送信および／または受信するために便利に使用され得る。もちろん、他のキーパッド構成はまた、他の実施形態に使用され得る。当業者によって認識されるように、マルチタップ（ｍｕｌｔｉ−ｔａｐ）または予測的入力モードは、電子メールをタイプするなどに使用され得る。
【００５７】
アンテナ４５は、好ましくは、多周波数バンドアンテナとして形成され、それは、多数の動作周波数上で高められた送信および受信特性を提供する。さらに特別には、アンテナ４５は、高ゲインと望ましいインピーダンス整合を提供し、比較的広いバンド幅と多数のセルラー周波数バンドとの上で、適用できるＳＡＲ要請に会うように設計されている。例として、アンテナ４５は、好ましくは五つのバンド、すなわち、８５０ＭＨｚモバイル通信のためのグローバルシステム（ＧＳＭ）バンド、９００ＭＨｚＧＳＭバンド、ＤＣＳバンド、ＰＣＳバンド、および、ＷＣＤＭＡバンド（すなわち、約２１００ＭＨｚまで）の上で動作し得るが、他のバンド／周波数もまた使用され得る。空間を浪費しないために、二次元または平面実施形態で実装され得るが、アンテナ４５は有利には三次元で実装され得る。
【００５８】
図１および図２で示されるモバイル無線通信デバイスは、電子メールおよびメッセージングアカウントを組み込み得、電子メール、ＰＩＮメッセージ、および、ＳＭＳメッセージを構成するような、異なる機能を提供し得る。デバイスは、メッセージアイコンを選択することによって検索され得た適切なメニューを通じて、メッセージを処理し得る。住所録機能は、接触を加え得、住所録の管理を許可し、住所録オプションを設定し、ＳＩＭカード電話番号簿を処理する。電話メニューは、異なる電話特徴を使用して電話呼び出しの作成と返答、電話呼び出しログの処理、電話オプションの設定、電話情報を見ることに対して、許可し得る。ブラウザーアプリケーションは、ウェブページをブラウジングし、ブラウザーを構成し、ブックマークを加え、ブラウザーオプションを変更することを許可する。他のアプリケーションは、タスク、メモパッド、計算機、アラームおよびゲームを、様々な参照のもとにハンドヘルドオプションと同様に、含み得る。
【００５９】
カレンダーアイコンは、面会または予約のような出来事を確立し処理するために使用され得る、カレンダープログラムを入力するのに選択され得る。カレンダープログラムは、組織者に例えば予約または面会のような出来事を確立するのを許可する、任意のタイプのメッセージングまたは予約／面会プログラムであり得る。
【００６０】
図１と図２の例示的なモバイル無線通信デバイス２０に使用され得る様々な機能性構成要素の制限のない例は、さらに、図３の参照の下に以下の例で記述される。デバイス２０は、例証として、ハウジング１２０、キーパッド１４０、および、出力デバイス１６０を含む。示される出力デバイス１６０は、好ましくはディスプレイであり、それは、全グラフィックＬＣＤである。他のタイプの出力デバイスが代わりに使用され得る。処理デバイス１８０はハウジング１２０内に含まれ、キーパッド１４０とディスプレイ１６０との間で結合される。処理デバイス１８０は、ユーザーによるキーパッド１４０上のキーの作動に応答して、モバイルデバイス２０の全ての動作と同様に、ディスプレイ１６０の動作を制御する。
【００６１】
ハウジング１２０は垂直に引き伸ばされ得、他の大きさと形を取り得る（クラムシェルハウジング構造（ｃｌａｍｓｈｅｌｌ  ｈｏｕｓｉｎｇ  ｓｔｒｕｃｔｕｒｅ）を含む）。キーパッドは、モード選択キー、または、テキスト入力と電話入力との間のスイッチングのための他のハードウェアまたはソフトウェアを含み得る。
【００６２】
処理デバイス１８０に加えて、モバイルデバイス２０の他の部品が図３で概要的に示される。これらは、通信サブシステム１０１；短距離通信サブシステム１０２；他の入力／出力デバイス１０６，１０８，１１０、および１１２に沿って、キーパッド１４０とディスプレイ１６０と；メモリデバイス１１６，１１８および様々な他のデバイスサブシステム１２１も同様に、含む。モバイルデバイス２０は好ましくは、音声とデータ通信能力を有する、二方向のＲＦ通信デバイスである。加えて、モバイルデバイス２０は好ましくは、インターネットを介して他のコンピュータシステムと通信する能力を有する。
【００６３】
処理デバイス１８０によって実行されるオペレーティングシステムソフトウェアは、好ましくは、フラッシュメモリ１１６のような、持続性のある貯蔵庫に格納され、しかし、読み込みのみのメモリ（ＲＯＭ）または同様の格納要素のような、他のタイプのメモリデバイスに格納され得る。加えて、システムソフトウェア、特定のデバイスアプリケーション、または、それらの一部分は、ランダムアクセスメモリ（ＲＡＭ）１１８のような、揮発性の貯蔵庫に一時的にロードされ得る。モバイルデバイスによって受信された通信信号もまた、ＲＡＭ１１８に格納される。
【００６４】
処理デバイス１８０は、そのオペレーティングシステム機能に加えて、デバイス２０のソフトウェアアプリケーション１３０Ａ〜１３０Ｎの実行を可能にする。データおよび音声の通信１３０Ａおよび１３０Ｂのような、基礎的なデバイス動作を制御するアプリケーションの予め決定されたセットは、製造の間、デバイス２０にインストールされ得る。加えて、個人情報管理（ＰＩＭ）アプリケーションが、製造の間、インストールされ得る。ＰＩＭは、電子メール、カレンダーの出来事、音声のメール、予約、および、タスクアイテムのような、データアイテムを組織し処理することが好ましくは可能である。ＰＩＭアプリケーションはまた、好ましくは、無線ネットワーク１４１を介してデータアイテムを送受信することが可能である。好ましくは、ＰＩＭデータアイテムは、ホストコンピュータシステムに格納され、または、関連される、デバイスユーザーの対応するデータアイテムと共に、無線ネットワーク１４１を介して、継ぎ目なく統合され、同調され、更新される。
【００６５】
データおよび音声の通信を含む、通信機能は、通信サブシステム１０１を通じて、そして恐らく、短距離の通信サブシステムを通じて、実行される。通信サブシステム１０１は、受信機１５０、トランスミッタ１５２、および、一つ以上のアンテナ１５４および１５６を含む。加えて、通信サブシステム１０１はまた、デジタル信号プロセッサ（ＤＳＰ）１５８および局所振動子（ＬＯ）１６１のような、処理モジュールを含む。通信サブシステム１０１の特定の設計と実装は、モバイルデバイス２０が動作しようと意図している通信ネットワークに依存する。例えば、モバイルデバイス２０は、Ｍｏｂｉｔｅｘ（登録商標）、Ｄａｔａ  ＴＡＣ（登録商標）、または、ジェネラルパケットラジオサービス（ＧＰＲＳ）モバイルデータ通信ネットワークと動作するように設計された、および、また、ＡＭＰＳ，ＴＤＭＡ，ＣＤＭＡ，ＰＣＳ，ＧＳＭなどのような、任意の様々な声の通信ネットワークと動作するように設計された、通信サブシステム１０１を含み得る。分離されたのと統合されたのと両方の、データおよび声のネットワークの他のタイプは、また、モバイルデバイス２０と共に利用され得る。
【００６６】
ネットワークアクセス要請は、通信システムのタイプに依存して様々に変化する。例えば、ＭｏｂｉｔｅｘおよびＤａｔａＴＡＣネットワークでは、モバイルデバイスは、唯一の個人識別番号または各デバイスに関連したＰＩＮを使用してネットワークに記録される。しかしながら、ＧＰＲＳネットワークでは、ネットワークアクセスは、デバイスの加入者かユーザーに関連する。したがって、ＧＰＲＳデバイスは、ＧＰＲＳネットワークで動作するために、加入者識別モジュールを要請し、一般にはＳＩＭカードと呼ばれる。
【００６７】
要請されたネットワーク記録または作動手続きが完了したとき、モバイルデバイス２０は、通信ネットワーク１４１上で、通信信号を送受信し得る。アンテナ１５４によって通信ネットワーク１４１から受信された信号は、受信機１５０に届けられ、受信機１５０は、信号増幅、周波数ダウンコンバージョン、フィルタリング、チャンネル選択などを提供し、また、アナログからデジタルへの変換をも提供する。受信された信号のアナログ−デジタル変換は、ＤＳＰ１５８が、復調と復号化のような、さらに複雑な通信機能を実行することを可能にする。同様の方法で、ネットワーク１４１へ伝達された信号は、ＤＳＰ１５８によって処理され（例えば、モジュレートおよび符号化される）、デジタルからアナログへの変換、周波数アップコンバージョン、フィルタリング、アンテナ１５６を介しての通信ネットワーク１４１（または、ネットワーク）への増幅と伝達のために、トランスミッタ１５２へ提供される。
【００６８】
通信信号を処理することに加えて、ＤＳＰ１５８は、受信機１５０とトランスミッタ１５２との制御を提供する。例えば、受信機１５０とトランスミッタ１５２とで、通信信号に適用されたゲインは、ＤＳＰ１５８に実装された自動ゲイン制御アルゴリズムを通じて、適応性のあるように制御される。
【００６９】
データ通信モードでは、テキストメッセージまたはウェブページダウンロードのような、受信された信号は、通信サブシステム１０１によって処理され、処理デバイス１８０へ入力される。受信された信号は、さらに、ディスプレイ１６０への出力のために、または代わりに一部の他の補助Ｉ／Ｏデバイス１０６へ、処理デバイス１８０によって処理される。デバイスユーザーは、また、キーパッド１４０、および／または、タッチパッド、ロッカースイッチ、サムホイール、または他のタイプの入力デバイスのような一部の他の補助Ｉ／Ｏデバイス１０６を使って、電子メールメッセージのようなデータアイテムを構成する。構成されたデータアイテムは、通信サブシステム１０１を介して通信ネットワーク１４１上を伝達される。
【００７０】
音声の通信モードでは、デバイスの全ての動作は、受信された信号がスピーカー１１０への出力であり、伝達のための信号がマイクロフォン１１２によって生成されること以外は、データ通信モードと実質的に同様である。音声のメッセージ記録サブシステムのような、代わりの声またはオーディオＩ／Ｏサブシステムは、デバイス２０上に、また、実装され得る。加えて、ディスプレイ１６０もまた、音声の通信モードで利用され得、例えば、通話している相手の身元、声の通話の持続時間、または他の声の通話に関する情報を表示するためである。
【００７１】
任意の短距離通信サブシステムは、モバイルデバイス２０と、必ずしも同様のデバイスでない、最も近くのシステムまたはデバイスとの間の通信を可能にする。例えば、短距離通信サブシステムは、赤外線デバイスおよび関連する回路と構成要素と、または、同様に可能なシステムとデバイスと共に通信を提供するためのＢｌｕｅｔｏｏｔｈ（登録商標）通信モジュールを、含み得る。
【００７２】
ＧＳＭは好ましい通信システムであって、約２５ＭＨｚバンド幅のアップリンク周波数バンドとダウンリンク周波数バンドとを有し得るラジオインターフェイスを使用し、典型的には１２４キャリヤ周波数チャンネルに細分化され、制限のない例では、それぞれは約２００ＫＨｚ離れていることを、理解すべきである。時間分割多重化は、ラジオ周波数チャンネルあたり約８個のスピーチチャンネル許可するように使用され、ＴＤＭＡフレームと呼ばれるものにグループ化される８個のラジオ時間スロットと８個のバースト期間とを与える。例えば、一つの制限のない例では、チャンネルデータ率は約２７０．８３３Ｋｂｐｓで、フレーム持続時間は約４．６１５ミリ秒（ＭＳ）であり得る。電力出力は、約１ワットから約２ワットまでを変化し得る。
【００７３】
典型的には、線形予測符号（ＬＰＣ）が、ビット率を減少させ、約１３Ｋｂｐｓの符号化されたスピーチと共に、ボーカルトラックをまねるためのフィルターに対するパラメータを提供するために使用され得る。四つの異なるセルの大きさがＧＳＭネットワークに使用され得、マクロ、ミクロ、ピコ、および、傘（ｕｍｂｒｅｌｌａ）のセルが含まれる。ベースステーションアンテナが、マクロセルの平均屋上レベルの上のマスタービルディングに取り付けられ得る。マイクロセルでは、アンテナの高さは、平均的な屋上の高さを下回り、都会の領域で使用される。マイクロセルは典型的には、約１２メートル直径を有し、屋内で使用される。傘のセルは、影になった領域またはより小さなセルを覆い得る。典型的には、アンテナによって覆われるＧＳＭ仕様書のための最も長い距離は、アンテナの高さ、ゲイン、および伝播条件に依存するが、約２２マイルである。
【００７４】
ＧＳＭシステムは、典型的には、ベースステーションサブシステム、ネットワークおよびスイッチングサブシステム、ならびに、ジェネラルパケットラジオサービス（ＧＰＲＳ）コアネットワークを含む。加入者識別モジュール（ＳＩＭ）は、例えば、ユーザーの加入者情報と電話番号簿を含むスマートカードのような、公知のＳＩＭカードのような、通信デバイスに常に実装されている。ユーザーは、ハンドセットをスイッチでき、または、ＳＩＭを変更することによって、オペレーターを変更できる。
【００７５】
ＧＳＭ信号プロトコルは三つの一般的なレイヤーを有する。レイヤー１は、空気のインターフェイス上のチャンネル構造を使用する物理的なレイヤーである。レイヤー２は、データリンクレイヤーである。レイヤー３は、三つのサブレイヤーを含む、信号プロトコルである。これらは、ハンドオーバーを含むラジオおよび固定チャンネルのセットアップ、維持、および、終了を制御するための、ラジオリソース管理サブレイヤーを含む。モビリティー管理サブレイヤーは、更新する位置と登録手続きを管理し、証明を保証する。接続管理サブレイヤーは、一般的な呼び出し制御を取り扱い、補足サービスと短いメッセージサービスを管理する。ホーム位置レジスター（ＨＬＲ）および訪問位置レジスター（ＶＬＲ）のような、異なるエンティティの間の信号は、信号システム第７番の頂上のレイヤーの処理能力アプリケーション部分（ＴＣＡＰ）上に確立されたモバイルアプリケーション部分（ＭＡＰ）を通じて、達成され得る。
【００７６】
ラジオリソース管理（ＲＲＭ）サブレイヤーは、モバイルステーションとＭＳＥとの間のラジオおよび固定されたリンクの確立を監督し得る。
【００７７】
ジェネラルパケットラジオサービス（ＧＰＲＳ）ネットワークに対する増大として、ＧＳＭ展開に対する高められたデータ率（ＥＤＧＥ）を使用することはまた、可能である。ＥＤＧＥは、異なるモジュレーションおよび符号化スキームのために、８位相シフトキーイング（８ＰＳＫ）およびガウシアン最小シフトキーイング（ＧＭＳＫ）を使用し得る。３ビット語が、全ての変更キャリヤ位相に対して、生成され得る。レート適合アルゴリズムは、ラジオチャンネルとビット率の質およびデータ伝達の強さにしたがって、モジュレーションおよび符号化スキーム（ＭＣＳ）を適合させ得る。ベースステーションは典型的には、ＥＤＧＥ使用のために修正されている。
【００７８】
図４は、記述されるようにシステムおよび方法と共に使用され得る低ＩＦ受信機のための、高レベルブロック図および概要的回路の例である。受信機２００は、通信信号を受信し、信号を低雑音増幅器（ＬＮＡ）２０４へ渡す、アンテナ２０２を含む。信号は、スプリッタ２０６内で分割され、ミキサー２０８および２１０に進む。信号生成器２１２は、局所振動子（ＬＯ）信号をミキサー２０８および２１０に生成する。局所振動子信号の一つは、非理想的ハイブリッドソース、または、広いバンドで位相不均衡を生成するシフター２１４によって、位相を変更される。それぞれの信号は、図示されるように、それぞれのミキサー２０８および２１０から、渡される。各信号は、アンチエイリアスフィルター２１６および２１８のそれぞれ、および、アナログ／デジタル変換器２２０および２２２のそれぞれを通過する。デジタル混合および復調が次に起こる。変換後の各信号は、乗算器２２６および２２８を含むデジタル混合回路を通過し、各乗算器は、図示されるように、サインおよびコサイン信号として、ダイレクトデジタルシンセサイザー２２４から信号を受信する。ダイレクトデジタルシンセサイザー２２４からの信号は、デジタル混合の一部として、乗算器２３０および２３２で乗算され、加算器２３４で加算される。ミキサー２２６および２２８からの信号は加算器２３６で加算される。加算器２３４および２３６からの信号は、それぞれ、選択性フィルター２３８および２４０によってフィルターされ、プロセッサ２４２内で処理される。アンチエイリアスフィルターは、ベースバンドでの振幅と位相との不均衡のソースとしての、非理想的アナログフィルターであり得る。
【００７９】
動作中、ミキサー２０８および２１０で混合した後、ダウンコンバージョンプロセスが始まる。ミキサー不均衡は、前に記したように、イメージ問題を生み出し得る。例えば、負の周波数は、有意な衰弱と共に正の周波数へ移される。乗算器を伴うダイレクトデジタルシンセサイザーはゼロへのシフティングを許可する。
【００８０】
図５〜図８は、さらに便利にはＬＯと名付けられる、局所振動子信号に対する、二つの可能なシナリオを示しているグラフであり、図に示されるように、局所振動子はラジオ周波数ＲＦに現れ得る。図５および図６は、負の側のＬＯを示している。図５は、所望の信号（ＷＳ）の中心周波数から負の周波数のオフセットを伴うＬＯを示している。干渉信号（ＩＳ）は左側に示され、所望の信号は右側に示される。信号の重複は、負の側のＬＯを示している。図６に示すＲＦダウンコンバージョンの後、振幅と位相とのＩ／Ｑ不均衡のために、干渉イメージ（ＩＩ）が現れる。
【００８１】
図７および図８は、干渉と所望の信号と、正の周波数オフセットと共に正の側のＬＯとのシナリオと共に、好ましい例を示すグラフである。図８は、図に示されるように、干渉信号と所望の信号とは左側に、および、所望のイメージ（ＷＩ）と干渉イメージ（ＩＩ）は右側に、示している。
【００８２】
図５および図６は、ＬＯが所望と干渉との二つの信号の間にあるとき、したがって、所望の信号の中心より下にあるので負の側のＬＯとして、図示していることが、理解されるべきである。図６に示すようにダウンコンバージョンの後で、ＬＯは、負の側の基本的にゼロＨｚ干渉で、ゼロＤＣらしく見える。このＩ／Ｑ不均衡のために、干渉のイメージは有意に減少し、重複が所望の信号と共に現れる。重複するイメージのために、所望の信号は、有意に退化させられるように見える。
【００８３】
図７および図８は、ダウンコンバージョンの後で、一つの側の干渉がゼロと関連して、所望の信号として重複がないような、正の側のＬＯを示す。前に記述されたような選択フィルターは、一部の欲しくない構成要素を除去でき、所望の信号を残す。したがって、これらの例では、図５および図６は悪いパフォーマンスの場合を表し、図７および図８はより良いパフォーマンスの場合を表すことが、理解されるべきである。システムは、局所振動子のより良い位置に達するように試み、所望の信号の同じ側に干渉信号を維持するように試みる。
【００８４】
次に、システムと方法とに対してＣプログラミングを使用した、擬似符号記述が続く。非常に低ＩＦ受信機における局所振動子は、所望のＧＳＭチャンネルＲＦ周波数でのＲＦミキサー入力に対する調節されていないキャリヤとして、単一のトーン、および、最高の信号−雑音比（ＳＮＲ）を得るために、システムと方法とが、非常に低ＩＦの符号を動的に選択できるような、プラス／マイナス非常に低ＩＦを、生成することが、理解されるべきである。
【００８５】
三つのスレッドが記述されており、各スレッドは、コンピュータプログラム内での処理のタスクに対応する。システム初期化は、一回行われる第一のスレッドであり、ラジオ制御スレッドおよび受信機復調器スレッドが続き、それらはループの中で連続的に繰り返される。
【００８６】
（擬似符号記述）
システム初期化：
１．  全ての利用可能なＧＳＭチャンネルのために、配列ＣＵＲＲＥＮＴ＿ＬＯ＿ＣＯＵＮＴＥＲを割り当てる。全てのエントリーを「０」に設定する。この配列は、現在勝っているＬＯ側（最高のＳＮＲと共に）を、それが「０」に達するまで、我々が何回使用するかを定義する。
【００８７】
２．  全ての利用可能なＧＳＭチャンネルのために、配列ＬＯ＿ＳＩＤＥを割り当てる。全てのエントリーを「０」に設定する（「０」は、負のＶｅｒｙ＿Ｌｏｗ＿ＩＦを伴う低い側のＬＯを意味する；「１」は、正のＶｅｒｙ＿Ｌｏｗ＿ＩＦを伴う高い側のＬＯを意味する）。この配列は、Ｖｅｒｙ＿Ｌｏｗ＿ＩＦの現在使用されている符号を定義する。
【００８８】
３．  全ての利用可能なＧＳＭチャンネルのために、配列ＴＯＰ＿ＬＯ＿ＣＯＵＮＴＥＲを割り当てる。全てのエントリーを「１」に設定する。この配列は、チャンネル条件に変化を探し求めるために「最悪の」ＬＯ側へスイッチして戻ることなしに、システムが、特定のチャンネルに最高のＬＯ設定を適用し得る試行の最大回数を定義する。
【００８９】
４．  全ての利用可能なＧＳＭチャンネルのために、配列ＷＩＮＮＩＮＧ＿ＬＯ＿ＳＮＲを割り当てる。全てのエントリーを「０」に設定する。この配列は、各ＧＳＭチャンネルに対する勝利のＬＯ側のＳＮＲを含む。
【００９０】
ラジオ制御スレッド：
１．  ＲＦドライバーが、規則正しいＧＳＭ／ＧＰＲＳバーストを受信するために、ＲＦチップセットを構成しなければならない場合、
１．１  現在のＧＳＭチャンネルに対するＣＵＲＲＥＮＴ＿ＬＯ＿ＣＯＵＮＴＥＲが「０」に等しい場合、現在のＬＯ＿ＳＩＤＥの論理的反転を使用するためにＲＦチップセットをプログラムする（Ｖｅｒｙ＿Ｌｏｗ＿ＩＦ符号を反転する）。
【００９１】
１．２  現在のＧＳＭチャンネルに対するＣＵＲＲＥＮＴ＿ＬＯ＿ＣＯＵＮＴＥＲが「０」より大きい場合、現在のＬＯ＿ＳＩＤＥを使用するためにＲＦチップセットをプログラムする（同じＶｅｒｙ＿Ｌｏｗ＿ＩＦ符号を保つ）。
【００９２】
受信機復調器スレッド：
１．  受信されたＧＳＭ／ＧＰＲＳバーストを復調し、バーストＳＮＲを得る。
【００９３】
２．  現在のチャンネルに対するＣＵＲＲＥＮＴ＿ＬＯ＿ＣＯＵＮＴＥＲが「０」に等しい場合（現在のＳＮＲは自由にされたＬＯ側を表す）、
２．１  ＣＵＲＲＥＮＴ＿ＬＯ＿ＣＯＵＮＴＥＲを、現在のチャンネルに対するＴＯＰ＿ＬＯ＿ＣＯＵＮＴＥＲと等しくする。
【００９４】
２．２  現在のＳＮＲがＷＩＮＮＩＮＧ＿ＬＯ＿ＳＮＲより大きい場合、
２．２．１  ＴＯＰ＿ＬＯ＿ＣＯＵＮＴＥＲが「１」に等しい場合（最低の可能なＴＯＰ＿ＬＯ＿ＣＯＵＮＴＥＲ）、
２．２．１．１  現在のＬＯ＿ＳＩＤＥを反転する（我々は、新しい勝利のＬＯ側を有する）。
【００９５】
２．２．１．２  現在のＷＩＮＮＩＮＧ＿ＬＯ＿ＳＮＲを、現在のＳＮＲ値で更新する。
【００９６】
２．２．１．３  ＣＵＲＲＥＮＴ＿ＬＯ＿ＣＯＵＮＴＥＲを「０」に設定する。
【００９７】
２．２．２  ＴＯＰ＿ＬＯ＿ＣＯＵＮＴＥＲが「１」より大きい場合、ＴＯＰ＿ＬＯ＿ＣＯＵＮＴＥＲを減少させる。
【００９８】
２．３  現在のＳＮＲがＷＩＮＮＩＮＧ＿ＬＯ＿ＳＮＲより小さい場合、ＴＯＰ＿ＬＯ＿ＣＯＵＮＴＥＲを増加させる（しかし、定義された最大限を超えず、私の実装では、可能な最高のＴＯＰ＿ＬＯ＿ＣＯＵＮＴＥＲは６０である）。
【００９９】
３．  現在のチャンネルに対するＣＵＲＲＥＮＴ＿ＬＯ＿ＣＯＵＮＴＥＲが「０」と等しくない場合、
３．１  現在のＳＮＲを、（現在のチャンネルに対応する）ＷＩＮＮＩＮＧ＿ＬＯ＿ＳＮＲ配列エントリーに格納する。
【０１００】
３．２  現在のチャンネルに対するＣＵＲＲＥＮＴ＿ＬＯ＿ＣＯＵＮＴＥＲを減少させる。
【０１０１】
上の擬似符号では、ＳＮＲは信号−雑音比を表す。ＩＦは中間周波数を表す。ＬＯは局所振動子を表す。非常に低い中間周波数受信機では、＋／−の非常に低ＩＦとして、所望のＧＳＭチャンネルＲＦ周波数で、ＲＦミキサー入力に対して調節されていないキャリヤとして、典型的には単一のトーンを生成することが、理解されるべきである。システムおよび方法は、最高のＳＮＲを得るために、非常に低ＩＦの符号を動的に選択する。
【０１０２】
配列は、同じタイプの変数の集まりであることが、理解されるべきである。個々の配列要素は整数指標によって識別され得る。Ｃでは、指標は典型的にはゼロから始まる。一次元の配列または多次元の配列があり得る。ポインターは配列の場所に使用され得ることが理解されるべきである。また、典型的には次元は直ちに固定されていない。空間は要請されるのに応じて割り当てられる。引数として関数に渡されたとき、配列の大きさは知られる必要がない。Ｃにおける伝統的な一部の配列タイプは一次元で、固定され、コンパイル時に静的な大きさが明示されるが、使用可能な可変的な長さの配列がある。任意の大きさのメモリのブロックが、動作中に標準ライブラリを使用して割り当てられ得、配列として取り扱われる。もちろん、ポインターは、メモリに対象のアドレスまたは位置を記録する参照として形成され得、標準の割り当てまたはポインター演算を使用して処理され得る。
【０１０３】
上の識別された擬似符号では、異なるチャンネルの配列は形に依存し、各バンドがＧＳＭチャンネルのセットを有する複数の異なるバンドを援助し得る。例えば、各バンドに数百チャンネルが存在し得る。もちろん、より多くのバンドをデバイスがサポートすれば、それだけ配列は大きくなる。
【０１０４】
配列は、各特定のチャンネルに対するＬＯのどちらの側が使用されたかを定義し得る。記述を通じて、上の擬似符号では、「勝利」という用語は、また「より良い実行」を表すことが、理解されるべきである。ＬＯは、二つの固定された位置に固定されうる、すなわち、周波数オフセットに対応する、正と負である。したがって、一つの位置が、「勝利」または「より良い実行」側としてより良い実行を与え得る。配列は、各チャンネルに対してカウンターを含み得る。頂上のカウンターは、一つの側にいくつの繰り返しが残っているかを指示する。例えば、システムが、負の周波数オフセットがより良い実行を与えると決定した場合、システムは、ＧＳＭバーストの「ｎ」回だけ負の位置に滞在する。ＬＯが負の位置にある場合、位置は、何かが正の側で変化したかを決定するために、二重チェックとして、正の側へ変化し得る。統計が計算され、頂上のカウンターは、システムが何回より良い実行または「勝利」の側に滞在するかを決定し得る。負の側がより良い実行で頂上のカウンターが１０の場合、十個のバーストが、ＬＯ側を変化することなく続けて受信される。さらなる統計が得られ、ある点で、システムは、負がより良い実行を与えると確信する。
【０１０５】
システムにおいては、この例で、正の側へ行く理由が存在し得る。例えば、頂上のＬＯカウンターは６０であり得、この多くのバーストが、ＬＯの位置に基づいて受信される。現在のカウンターは、どれだけ多くの繰り返しがゼロへ残されているかの表示器であり得る。したがって、この制限のない例では、頂上のカウンターは、一つの側で許可された最大値であり得る。これはゼロまたは１に設定し得、どちらの側が使用されているかを示し、どちらの側がより良い実行を与えるかを表す。
【０１０６】
システム初期化スレッドは、デバイスまたはユニットが「スイッチオン」されたとき、一度だけ起こる。ラジオ制御スレッドと受信機復調器スレッドとは、互いに、連続して、何回も循環し、バーストが受信されたときラジオ制御スレッドは、受信機復調器スレッドによって後に続かれる。
【０１０７】
ラジオ制御スレッドでは、ＲＦドライバーはバーストを受信するためにＲＦチップセットを構成する。図に示されるように、論理的反転が存在し得る。
【０１０８】
記述されるようにシステムおよび方法では、一部のメモリアクセスは、制限されたリソースと共にデバイスのこの埋め込まれたタイプに維持される。このシステムと方法は、ユニットに保持され得る情報の最小量を提供し、速度とメモリに関連する一部のメモリ問題を解決する。アルゴリズムに使用されるＲＡＭトレードオフに関する問題が常に存在する。
【０１０９】
受信機復調器スレッドに関して、ハードウェアは一つに設定され得、失うまたは貧しい実行側は、最悪のまたは貧しい実行性能を与える。システムはＬＯのより良い実行側でバーストを受信するように試み、システムはしばしば、二重チェックし、その側がより良い実行になるかどうかを決定するため、ＬＯの最悪のまたは貧しい実行側へ戻らなくてはならない。これは、なぜ、現在のＬＯカウンターがゼロに達するとき、またはそれがゼロをヒットするとすぐに、システムは他の位置へスイッチし何が起こったかチェックする、一つの理由である。例えば、環境が変化した場合、他の側がより良い実行側になり得る。したがって、現在のＬＯカウンターは、循環され、ループの中に保持される。システムが「ゼロ」に達したとき、システムは、再び後ろ向きにカウントし始めるように頂上の位置へ行き得る。例えば、システムが最悪のまたは貧しい実行ＬＯ設定へ行き、ラジオ環境が変化したとき、システムは、それはもはや最悪のまたは貧しい実行ＬＯ設定でないことを決定し得、しかし、最悪のまたは貧しい実行ＬＯ位置のＳＮＲは有意により良いＳＮＲを与えるので、それは良い。そのとき、システムは、「勝利」の、または、より良い実行側のために、ＬＯカウンターを減少させ始め得る。これは次第に条件が消え去るＧＳＭシステムで、一部の誤った結果が存在し得るので、システムは新しいＬＯ側へすぐにスイッチし得ないかもしれない。誤った結果に基づいてスイッチするのは望ましくなく、したがって、システムは、「勝利」または「より良い実行」ではないので、より良い実行側に対して頂上ＬＯカウンターを減少させる。
【０１１０】
一部の点で、頂上ＬＯカウンターが１に達したとき、システムは、側がより良い実行であることを確信していない。ＬＯ側として他のＬＯ位置にスイッチした後で、システムが「１」に達するまで、システムは減少させ、その点で、前のより良い実行側は、勝利のまたはより良い実行などではなく、スイッチが起こらなくてはならないという確信が存在する。
【０１１１】
上で記述された擬似符号の例では、可能な最高の位置は６０であった。これは、実際的な観測に基づく例に過ぎない。例えば、システムが低い値で５で最高になる場合、それは「最悪の」またはより貧しい実行ＬＯ位置に頻繁に行き、期待されたよりも低いＳＮＲと共に受信された多くのバーストが存在し得、性能は退化させられる。しかし、この場合、アルゴリズムは、環境の変化に非常に早く反応する。それは効率的に干渉信号を「追跡」する。他方では、システムが高い値（例えば、＞１００）で最高になる場合、静的な環境での全ての性能は、良くなる。素早く変化する干渉がある場合、アルゴリズムはゆっくり反応する。実際的な観測に基づいて、システム反応を適度に速く維持するのと同様に、「６０」の値は、ＥＴＳＩ証明テストに対してよい性能を与える。素早く変化する環境が存在する場合、アルゴリズムの反応物質は、高くなり、一つのＬＯ側から別のへスイッチするための時間を取り、アルゴリズムはゆっくりになり得る。カウンターの数は、この問題を緩和するように助け得る。
【０１１２】
システムおよび方法に対するアルゴリズムは、９０度シフトし得るハイブリッドを通じて通過する一つの枝と、直接ミキサーへの一つの枝と共にシンセサイザーを制御することが、理解されるべきである。
【０１１３】
多くの改変と本発明の他の実施形態が、先の記述と関連する図面に表されたことを教示する恩恵を有する当業者に思い浮かぶであろう。したがって、本発明は、公開された特定の実施形態に制限されず、修正と実施形態は追加される請求項の範囲内に含まれることを意図することが、理解されるべきである。
【符号の説明】
【０１１４】
２０  モバイル無線通信デバイス
２１  ハウジング
２２  ディスプレイ
２３  キーパッド
２４  多シンボルキー
２５  代わりの機能キー
２６  ネクストキー
２７  スペースキー
２８  シフトキー
２９  リターンキー
３０  バックスペースキー
３１  送信キー
３２  エンドキー
３６  バックボタン
３７  スクロールホイール
３９  メニューキー
４５  アンテナ
４６  ハウジングの上の部分
４７  ハウジングの下の部分
４８  回路構成
４９  オーディオ出力トランスデューサ
５０  補助入力／出力デバイス
６７  回路基板
１０１  通信サブシステム
１０２  短距離通信サブシステム
１０６、１０８、１１０、１１２  入力／出力デバイス
１１６、１１８  メモリデバイス
１２１  他のデバイスサブシステム
１３０Ａ  音声の通信モジュールソフトウェアアプリケーション
１３０Ｂ  データ通信モジュールソフトウェアアプリケーション
１３０Ｎ  他のモジュールソフトウェアアプリケーション
１４０  キーパッド
１４１  無線ネットワーク
１５０  受信機
１５２  トランスミッタ
１５４、１５６  アンテナ
１５８  デジタル信号プロセッサ
１６０  ディスプレイ
１６１  局所振動子
１８０  処理デバイス
２００  受信機
２０２  アンテナ
２０４  低雑音増幅器
２０６  スプリッタ
２０８、２１０  ミキサー
２１４  シフター
２１６、２１８  アンチエイリアスフィルター
２２０、２２２  アナログ／デジタル変換器
２２４  ダイレクトデジタルシンセサイザー
２２６、２２８、２３０、２３２  乗算器
２３４、２３６  加算器
２３８、２４０  選択性フィルター
２４２  プロセッサ
ＩＳ  干渉信号
ＷＳ  所望の信号
ＬＯ  局所振動子信号
ＩＩ  干渉イメージ
ＷＩ  所望のイメージ
【図１】
2011078123.tif 000003
【図２】
2011078123.tif 000004
【図３】
2011078123.tif 000005
【図４】
2011078123.tif 000006
【図５】
2011078123.tif 000007
【図６】
2011078123.tif 000008
【図７】
2011078123.tif 000009
【図８】
2011078123.tif 000010